(57)【要約】【課題】  一転レスシステムにおいて、システムの高速化とコストダウンを両立させる。【解決手段】  第１の電源と第２の電源から中間転写ベルトの周方向へ電流を流し、ツェナーダイオードを介してアースに流れ込む電流を、ツェナーダイオードが予め定められた電圧を発生するように電源の出力を調整する。【選択図】  図２
2016109875.tif 000002
【特許請求の範囲】
【請求項１】
トナー像を担持する像担持体と、
前記像担持体から一次転写部で転写されたトナー像を担持する中間転写体と、
前記中間転写体の外周面に当接して配置され、前記中間転写体からトナー像を二次転写部で記録材に転写する転写部材と、
前記中間転写体の内周面と接地電位との間に電気的に接続され、予め定められた電圧を発生させる定電圧素子と、
前記定電圧素子に流れる電流を検知する検知手段と、
前記転写部材に電圧を印加して前記定電圧素子に電流を流し前記二次転写部に二次転写電界を形成する第１の電源と、
前記中間転写体の内周面と電気的に接続され、前記一次転写部に一次転写電界を形成する第２の電源と、
前記検知手段の検知結果に基づき前記第２の電源を制御する制御部と、
を有することを特徴とする画像形成装置。
【請求項２】
前記制御部は、前記検知手段による検知結果が、前記定電圧素子が予め定められた電圧を発生する電流値になるように前記第２の電源を制御することを特徴とする請求項１に記載の画像形成装置。
【請求項３】
前記制御部は、一次転写が行われている時に、前記検知手段の検知結果に基づき前記第２の電源を制御することを特徴とする請求項１に記載の画像形成装置。
【請求項４】
前記制御部は、一次転写が行われている時でかつ二次転写が行われていない時に、前記第２の電源のみから電流を供給し、前記検知手段の検知結果に基づき前記第２の電源を制御することを特徴とする請求項３に記載の画像形成装置。
【請求項５】
前記中間転写体は二層以上の構成であり、前記外周面側の層の体積抵抗率が前記内周面側の層の体積抵抗率よりも高いことを特徴とする請求項１乃至４のいずれか１項に記載の画像形成装置。
【請求項６】
前記中間転写体は中間転写ベルトであり、
前記中間転写ベルトの内周面に当接して前記中間転写ベルトを張架する複数の張架部材を有することを特徴とする請求項１乃至５のいずれか１項に記載の画像形成装置。
【請求項７】
前記張架部材は導電性を有する張架ローラであり、
前記張架ローラが前記定電圧素子に電気的に接続されることで前記中間転写体と前記定電圧素子とを電気的に接続することを特徴とする請求項６に記載の画像形成装置。
【発明の詳細な説明】
【技術分野】
【０００１】
本発明は、複写機やレーザプリンタ等の電子写真の技術を用いた画像形成装置に関する。
【背景技術】
【０００２】
電子写真方式の画像形成装置では、感光体からトナー像を中間転写体に転写（一次転写）して、中間転写体から記録材に転写（二次転写）することで画像を形成する中間転写方式が知られている。
【０００３】
しかし、二次転写ローラや二次転写用の電源とは別に、一次転写専用の電源、および一次転写ローラを用いれば、コストアップ、及び中間転写ユニットの大型化につながるおそれがある。そこで中間転写ユニットの小型化を図るために中間転写ベルトの内面を低抵抗化し、一次転写ローラ及び一次転写用の電源を省き、定電圧素子を介して中間転写ベルトを接地する構成（以下、一転レスシステム）が提案されている（特許文献１参照）。
【先行技術文献】
【特許文献】
【０００４】
【特許文献１】特開２０１２−１３７７３３
【発明の概要】
【発明が解決しようとする課題】
【０００５】
しかし、上記の一転レスシステムでは、使用によって感光体が摩耗して膜厚が薄くなると、電源から供給される電流のうち一次転写部に流れ込んでしまう電流量が増え、定電圧素子に流れる電流量が低くなることがある。その結果、定電圧素子が予め定められた電圧を発生することができず、一次転写電界不足による一次転写不良が発生するという課題がある。
【課題を解決するための手段】
【０００６】
そこで本発明の画像形成装置は、トナー像を担持する像担持体と、前記像担持体から一次転写部で転写されたトナー像を担持する中間転写体と、前記中間転写体の外周面に当接して配置され、前記中間転写体からトナー像を二次転写部で記録材に転写する転写部材と、前記中間転写体の内周面と接地電位との間に電気的に接続され、予め定められた電圧を発生させる定電圧素子と、前記定電圧素子に流れる電流を検知する検知手段と、前記転写部材に電圧を印加して前記定電圧素子に電流を流し前記二次転写部に二次転写電界を形成する第１の電源と、前記中間転写体の内周面と電気的に接続され、前記一次転写部に一次転写電界を形成する第２の電源と、前記検知手段の検知結果に基づき前記第２の電源を制御する制御部と、を有することを特徴とする。
【発明の効果】
【０００７】
本発明によれば、定電圧素子に予め定められた電圧を確実に発生させることができ、一次転写不良を抑制できる。
【図面の簡単な説明】
【０００８】
【図１】従来の一転レスシステムを説明する図
【図２】本実施形態における基本構成を説明する図
【図３】本実施形態における等価回路を説明する図
【図４】本実施形態における転写電位と静電像電位の関係を示す図
【図５】ツェナーダイオードのＩＶ特性
【図６】本実施形態におけるブロック図
【発明を実施するための形態】
【０００９】
以下、図面に沿って、本発明の実施の形態について説明する。なお、各図面において同一の符号を付したものは、同一の構成又は作用をなすものであり、これらについての重複説明は適宜省略した。
【実施例１】
【００１０】
［画像形成装置］
図２に本実施例１におけるタンデム方式の中間転写体を用いた画像形成装置を示す。
【００１１】
画像形成ユニット１０１ａ、１０１ｂ、１０１ｃ、１０１ｄは、それぞれイエロー（Ｙ）、マゼンタ（Ｍ）、シアン（Ｃ）、黒（Ｋ）色のトナー像を形成する画像形成手段である。これらの画像形成ユニットは、中間転写ベルト７の移動方向において上流側から、画像形成ユニット１０１ａ、１０１ｂ、１０１ｃ、１０１ｄの順、すなわちイエロー、マゼンタ、シアン、黒の順に配置されている。
【００１２】
各画像形成ユニット１０１ａ、１０１ｂ、１０１ｃ、１０１ｄはそれぞれ、トナー像が形成される担持する像担持体としての感光体１ａ、１ｂ、１ｃ、１ｄを備える。帯電ローラ２ａ、２ｂ、２ｃ、２ｄは、各感光体１ａ、１ｂ、１ｃ、１ｄの表面を帯電する帯電手段である。露光装置３ａ、３ｂ、３ｃ、３ｄはレーザスキャナーを備えて、帯電ローラ２ａ、２ｂ、２ｃ、２ｄによって帯電された感光体１ａ、１ｂ、１ｃ、１ｄを露光する。レーザスキャナーの出力が画像情報に基づいてオンオフされることによって、画像に対応した静電像が各感光体１ａ、１ｂ、１ｃ、１ｄ上に形成される。すなわち、帯電ローラ２ａ、２ｂ、２ｃ、２ｄと露光装置３ａ、３ｂ、３ｃ、３ｄとが、静電像を感光体１ａ、１ｂ、１ｃ、１ｄに形成する静電像形成手段として機能する。現像装置４ａ、４ｂ、４ｃ、４ｄは、それぞれイエロー、マゼンタ、シアン、黒の各色のトナーを収容する収容器を備えて、感光体１ａ、１ｂ、１ｃ、１ｄ上の静電像をトナーを用いて現像する現像手段である。
【００１３】
感光体１ａ、１ｂ、１ｃ、１ｄに形成されたトナー像は、中間転写ベルト７へ一次転写部Ｎ１ａ、Ｎ１ｂ，Ｎ１ｃ，Ｎ１ｄで一次転写される。こうして中間転写ベルト７上に４色のトナー像が重ねて転写される。
【００１４】
中間転写ベルト７は、感光体１ａ、１ｂ、１ｃ、１ｄからトナー像が転写される移動可能な中間転写体である。中間転写ベルト７は、基層（内周面側）と表層（外周面側）との二層構成である。なお、中間転写ベルト７は基層と表層の間に他の層を有する二層以上の構成であっても構わない。
【００１５】
基層はポリイミドあるいはポリアミド、ＰＥＮ、ＰＥＥＫ等の樹脂または各種ゴム等にカーボンブラック等の帯電防止剤を適当量含有させたものが用いられる。
中間転写ベルト７の基層は、基層の表面抵抗率が１０２〜１０８Ω／□（導電性）となるように形成される。本実施例１における基層としては、ポリイミドで、中心厚みが４５〜１５０ｕｍ程度のフィルム状の無端ベルトが用いられる。
【００１６】
さらに表層は、基層込みでの膜厚方向の体積抵抗率が１０９〜１０１３Ω・ｃｍに抵抗調整されたアクリルコートが施される。すなわち表層の抵抗よりも、基層の抵抗の方が低い。
【００１７】
表層の厚みは１〜１０ｕｍである。もちろんこれらの数値に限定する意図ではない。
【００１８】
中間転写ベルト７は、張架部材としての各種ローラ１０、１１、１２、１３によって中間転写ベルト７の内周面に当接して張架されている。アイドラローラ１２は、各感光体１ａ、１ｂ、１ｃ、１ｄの配列方向に沿って延びる中間転写ベルト７を張架する。
【００１９】
テンションローラ１１は、中間転写ベルト７に対して一定の張力を与えるテンションローラである。さらにテンションローラ１１は、中間転写ベルト７の蛇行を防止する補正ローラとしても機能する。なお、テンションローラ１１に対するベルトテンションは５〜１２ｋｇｆ程度になるように構成される。このベルトテンションがかけられることで、一次転写部Ｎ１ａ、Ｎ１ｂ，Ｎ１ｃ，Ｎ１ｄとして、中間転写ベルト７と感光体１ａ、１ｂ、１ｃ、１ｄとの間にニップが形成される。
【００２０】
二次転写内ローラ１０は、定速性に優れたモーターにより駆動されて中間転写ベルト７を循環駆動させる駆動ローラとして機能する。
【００２１】
第２の電源２１はテンションローラ１１に接続されており、中間転写ベルト７の周方向に電流を流すための電源である。なお、第２の電源２１は必ずしもテンションローラ１１へ接続する必要はなく、張架ローラ１０、１１、１２、１３のいずれか１つに接続される構成でも構わない。
【００２２】
記録材Ｐは用紙トレイに収容されている。記録材Ｐは、この用紙トレイから所定のタイミングでピックアップローラによって取り出されて、レジストレーションローラ（不図示）へ導かれる。記録材Ｐは、中間転写ベルト７上のトナー像が搬送されるのと同期して、中間転写ベルト７からトナー像を記録材Ｐに転写する二次転写部Ｎ２へレジストレーションローラによって送り出される。
【００２３】
二次転写外ローラ１４は、中間転写ベルト７に当接し、中間転写ベルト７を介して二次転写内ローラ１０を押圧して、二次転写内ローラ１０と共に二次転写部Ｎ２を形成する二次転写部材である。
【００２４】
第１の電源２２は、二次転写外ローラ１４に電気的に接続されており、二次転写外ローラ１４に電圧を印加する電圧印加手段としての電源である。
【００２５】
記録材Ｐが二次転写部Ｎ２へ搬送されると、二次転写外ローラ１４にトナーと逆極性の二次転写電圧が印加されることによって、中間転写ベルト７からトナー像が記録材に転写する。
【００２６】
なお二次転写内ローラ１０はＥＰＤＭゴムからなる。二次転写内ローラ１０の直径は２０ｍｍ、ゴム厚は０．５ｍｍ、硬度は７０°（Ａｓｋｅｒ−Ｃ）に設定される。
【００２７】
二次転写外ローラ１４はＮＢＲゴムやＥＰＤＭゴム等からなる弾性層と芯金からなる。二次転写外ローラの直径は、２４ｍｍになるように形成される。
【００２８】
中間転写ベルト７が移動する方向において二次転写部Ｎ２よりも下流側には、記録材に二次転写部Ｎ２で転写せず中間転写ベルト７に残留した残留トナーや紙粉を除去するための中間転写ベルトクリーニング装置１５が設けられている。
【００２９】
［一次転写電界形成］
実施例１における一次転写電界の形成について図３の等価回路を参照して説明する。ここで、ＩＴＢ＿ｂは中間転写ベルト７の基層を、ＩＴＢ＿ｓは中間転写ベルト７の表層を表す。
【００３０】
中間転写ベルト７からトナー像を記録材へ二次転写するための第１の電源２２からの電流を利用して一次転写電界を発生させるように、張架ローラ１０、１１、１２、１３とアースとの間に定電圧素子を配置している。
【００３１】
その結果、図３に示すように、中間転写ベルト７の電位が高くなり、感光体１ａ、１ｂ、１ｃ、１ｄと中間転写ベルト７との間に一次転写電界が働くようになる。
【００３２】
次に図４を用いて、感光体の電位と中間転写ベルトの電位の差である一次転写コントラストについて説明する。
【００３３】
図４は、感光体表面が帯電ローラによって帯電されて、感光体表面の電位Ｖｄ（ここでは−６７８Ｖとする）となり、帯電された感光体の表面が露光手段によって露光されて、感光体の表面がＶｌ（ここでは−２４０Ｖとする）となる場合である。
【００３４】
電位Ｖｄはトナーが付着されない非画像部の電位であり、電位Ｖｌは感光体上のトナーが付着される画像部の電位である。Ｖｉｔｂは中間転写ベルトの電位である。
【００３５】
感光体の表面電位は帯電、露光手段の下流側、且つ現像手段の上流で感光体に近接配置された電位センサーの検知結果に基づいて制御される。
【００３６】
電位センサーは感光体表面の非画像部電位と画像部電位を検知し、非画像部電位に基づいて帯電手段の帯電電位を制御して、画像部電位に基づいて露光手段の露光光量を制御する。
【００３７】
この制御により感光体の表面電位は画像部電位、非画像部電位の両電位とも適正な値にすることができる。
【００３８】
画像部電位Ｖｌと非画像部電位Ｖｄとの電位差である静電像コントラストＶｃｂは、
−２４０（Ｖ）−（−６７８（Ｖ））＝４３８（Ｖ）
となる。
【００３９】
感光体の画像部電位Ｖｌと中間転写ベルトの電位Ｖｉｔｂ（ここでは３００Ｖとする）との電位差である一次転写コントラストＶｔｒは、
３００（Ｖ）−（−２４０（Ｖ））＝５４０（Ｖ）
となる。
【００４０】
［ツェナーダイオードの電圧電流特性］
一次転写は中間転写ベルトの電位と感光体の電位との電位差である一次転写コントラストによって決まる。そのため一次転写コントラストを安定的に形成するためには中間転写ベルトの電位を一定に維持するのが望ましい。
【００４１】
そこで実施例１では、張架ローラと接地電位（アース）との間に配置される定電圧素子として、ツェナーダイオードが用いられる。なお、ツェナーダイオードに代えてバリスタを用いても構わない。
【００４２】
図５は、ツェナーダイオードの電流電圧特性を示す。ツェナーダイオードは、ツェナー降伏電圧Ｖｂｒ以上の電圧が発生するまでほとんど電流が流れないが、ツェナー降伏電圧が発生すると急激に電流が流れる特性を持つ。すなわち、ツェナーダイオード１６にかかる電圧がツェナー降伏電圧以上では、ツェナーダイオード１６の電圧降下はツェナー電圧（予め定められた電圧）で一定に維持される。
【００４３】
このようなツェナーダイオードの電流電圧特性を利用して、中間転写ベルト７の電位を予め定められた電圧で略一定に維持する。
【００４４】
すなわち実施例１では、すべての張架ローラ１０、１１、１２、１３と、接地電位（アース）との間にツェナーダイオード１６が電気的に接続される。
【００４５】
ここで、使用によって感光体が摩耗して感光層の膜厚が薄くなると定電圧素子に流れる電流が少なくなる理由を説明する。一次転写コントラストが同じと仮定した場合、感光体の膜厚が薄い場合には厚い場合に比べ一次転写部に流れる転写電流が多くなる。これは、転写電流は感光体と中間転写ベルトとの電位差が所定値になるまで流れるところ、感光体の膜厚が薄い程感光体の静電容量が上がるため、単位時間で比較すると感光体を同一電位まで変化させる転写電荷は感光体の膜厚が薄い程多く必要になるからである。
【００４６】
なお、プロセス速度が速い場合は遅い場合に比べ、感光体の設定電位が高い場合は低い場合に比べ、ツェナーダイオード１６に流れる電流が減る場合がある。
【００４７】
このように使用によって感光体が摩耗して膜厚が薄くなると、第１の電源から供給される電流の中で一次転写部に流れ込む電流の量が増えツェナーダイオード１６に流れる電流が減る。そのためツェナーダイオード１６に発生する電圧が予め定められた電圧に満たないことがある。
【００４８】
そこで本発明ではツェナーダイオード１６に発生する電圧が予め定められた電圧を維持できるように、第２の電源２１を設けることで中間転写ベルト７のベルト電位を一定に維持させる。
【００４９】
実施例１では、張架ローラと接地電位（アース）との間に、ツェナー降伏電圧Ｖｂｒが２５Ｖとなるツェナーダイオード１６が１２個直列に接続された状態で配置されるものとする。中間転写ベルトの電位は、各ツェナーダイオードのツェナー降伏電圧の合計、すなわち２５×１２＝３００Ｖで一定に維持されることになる。
【００５０】
もちろんツェナーダイオードを複数用いる構成に限定する意図ではない。ツェナーダイオードを１つだけ用いる構成にすることもできる。
【００５１】
もちろん中間転写ベルトの表面電位は３００Ｖになる構成に限定する意図ではない。使用するトナーの種類や感光体の特性に応じて適宜設定するのが望ましい。
【００５２】
［ツェナーダイオードに流れる電流を検知する回路］
実施例１ではツェナーダイオード１６を介してアースに流れる電流を検知する第１の電流検知回路２０４（検知手段）が設けられている。
【００５３】
第１の電流検知回路２０４で検知した電流が５μＡ未満である場合、ツェナーダイオード１６に発生する電圧は予め定められた電圧未満であり、５μＡ以上である場合、ツェナーダイオード１６に発生する電圧は予め定められた電圧である。
【００５４】
［コントローラ］
実施例１の画像形成装置全体の制御を行うコントローラの構成について図６を参照して説明する。コントローラは、図６に示すように、ＣＰＵ回路部１５０（制御部）を有する。ＣＰＵ回路部１５０は、ＣＰＵ（図示せず）、ＲＯＭ１５１およびＲＡＭ１５２を内蔵する。
【００５５】
第１の電流検知回路２０４はツェナーダイオード１６に流入する電流を検知する回路である。第２の電流検知回路２０５は二次転写部を流れる電流を検知する回路である。電位センサー２０６は感光体表面の電位を検知するセンサーである。温湿度センサー２０７は温湿度を検知するセンサーである。
【００５６】
ＣＰＵ回路部１５０には、第１の電流検知回路２０４、第２の電流検知回路２０５、電位センサー２０６、温湿度センサー２０７からの情報が入力される。そしてＣＰＵ回路部１５０は、ＲＯＭ１５１に格納されている制御プログラムに応じて、第２の電源２１、第１の電源２２、現像高圧電源２０１、露光電源２０２，帯電高圧電源２０３を統括的に制御する。後述する環境テーブルや紙厚さ対応テーブルはＲＯＭ１５１に格納されておりＣＰＵが呼び出して反映される。ＲＡＭ１５２は制御データを一時的に保持し、また制御に伴う演算処理の作業領域として用いられる。
【００５７】
［第１の電源の制御］
二次転写電界を適正化するために、第１の電源２２がＣＰＵ回路部１５０によって制御される。
【００５８】
適正な二次転写電界は、雰囲気環境や記録材の種類によって変化する。そこで本実施例１では、トナー像を記録材に転写する二次転写工程前の非二次転写時に、ＣＰＵ回路部１５０によって調整工程が実行される。
【００５９】
ＣＰＵ回路部１５０は、第１の電源２２で複数の調整電圧を印加したときに二次転写部を流れる電流を第２の電流検知手段２０５で測定し、電圧と電流の相関関係を算出する。
【００６０】
ＣＰＵ回路部１５０は、算出された電流と電圧との相関関係に基づいて、二次転写に必要となる二次転写目標電流Ｉｔを流すための電圧Ｖ１を算出する。
【００６１】
ＣＰＵ回路部１５０は、二次転写目標電流Ｉｔを流すためのＶ１に記録材分担電圧Ｖ２が加算された電圧（Ｖ１＋Ｖ２）を二次転写電圧の目標電圧Ｖｔとして設定する。
【００６２】
［一次転写と二次転写の実行時の各電源のＯＮ，ＯＦＦと制御］
画像形成中の一次転写部と二次転写部のそれぞれの場所において、転写が行われているか否かの観点で以下の（ア）〜（ウ）の３つのタイミングに分ける。それぞれのタイミングで第１の電源と第２の電源のＯＮ、ＯＦＦと制御について整理すると以下のようになる。
（ア）一次転写が行われているとともに二次転写も行われているとき
第１の電源をＯＮかつ第２の電源をＯＮ
（イ）一次転写が行われていて、二次転写が行われてないとき
第１の電源をＯＦＦかつ第２の電源をＯＮ
（ウ）一次転写が行われてなく、二次転写が行われているとき
第１の電源をＯＮかつ第２の電源をＯＮ
（ア）の場合、第１の電源はＡＴＶＣで決められた定電圧、第２の電源２１は第１の電流検知回路２０４の検知電流が５μＡになるように制御される。
（イ）の場合、第２の電源２１は第１の電流検知回路２０４の検知電流が５μＡになるように制御される。
（ウ）の場合、第１の電源はＡＴＶＣで決められた定電圧、第２の電源は第１の電流検知回路２０４の検知電流が５μＡになるように制御される。
【００６３】
ここで（イ）のタイミングで、第１の電源をＯＮ、第２の電源をＯＦＦにすることも可能であるが、第１の電源をＯＦＦかつ第２の電源をＯＮにする理由は以下の通りである。２次転写ローラは、通電時間と電流値の積に依存して抵抗上昇して寿命に到達するところ、第１の電源をＯＦＦにして２次転写ローラへの通電時間を短くして寿命を向上させるためである。
【００６４】
また、（ウ）のタイミングで、第１の電源２２をＯＮ、第２の電源２１をＯＦＦにすることも可能であるが、第１の電源２２をＯＮ、かつ第２の電源２１をＯＮにする理由は以下の通りである。（ウ）のタイミングは一次転写がされていない期間なので定電圧素子が予め定められた電圧未満でも一次転写の観点では問題はない。しかし、定電圧素子に発生する電位は二次転写内ローラ１０の電位でもあるため二次転写電界に影響して二次転写電界の適正値からのずれによる二次転写不良が発生する。この二次転写不良の対策として（ウ）のタイミングに合わせて感光体の設定電位を下げ、相対的に定電圧素子に流れる電流を増やせば定電圧素子に予め定められた電圧を発生させ得る。しかし感光体の設定電位を下げた場合、中間転写ベルト７と感光体の電位差が大きくなり、感光体にメモリが発生するおそれがある。そこで実施例１では（ウ）のタイミングで第１の電源２２をＯＮ、かつ第２の電源２１をＯＮにしている。
【００６５】
第１の実施例により、定電圧素子を確実に予め定められた電圧にすることができ、一次転写不良を抑制できるとともに、２次転写ローラの寿命が向上し、感光体のメモリも回避できる。
【実施例２】
【００６６】
実施例２の装置の基本構成は実施例１と共通である。
第１の実施例では（イ）のタイミングで第１の電源２２をＯＦＦかつ第２の電源２１をＯＮにしていたが、二次転写ローラの材料や設定寿命により通電による抵抗上昇が問題にならない場合には以下の構成にできる。
（ア）一次転写が行われているとともに二次転写も行われているとき
第１の電源をＯＮ、かつ第２の電源をＯＮ
（イ）一次転写が行われていて、二次転写が行われてないとき
第１の電源をＯＮ、かつ第２の電源をＯＦＦ
（ウ）一次転写が行われてなく、二次転写が行われているとき
第１の電源をＯＮ、かつ第２の電源をＯＮ
（ア）の場合、第１の電源２２はＡＴＶＣで決められた定電圧、第２の電源２１は第１の電流検知回路２０４の検知電流が５μＡになるように制御される。
（イ）の場合、第１の電源２２は第１の電流検知回路２０４の検知電流が５μＡになるように制御される。
（ウ）の場合、第１の電源２２はＡＴＶＣで決められた定電圧、第２の電源２１は第１の電流検知回路２０４の検知電流が５μＡになるように制御される。
【００６７】
実施例２により、定電圧素子を確実に予め定められた電圧にすることができ、一次転写不良を抑制できるとともに、感光体のメモリも回避できる。
【実施例３】
【００６８】
実施例３の装置の基本構成は実施例１と共通である。
第１、第２の実施例では、（ウ）のタイミングでは第１の電源２２をＯＮ、かつ第２の電源２１をＯＦＦにしていたが、感光体の材料等で感光体のメモリが問題にならない場合には次の構成にできる。
（ア）一次転写が行われているとともに二次転写も行われているとき
第１の電源をＯＮ、かつ第２の電源をＯＮ
（イ）一次転写が行われていて、二次転写が行われてないとき
第１の電源をＯＮ、かつ第２の電源をＯＦＦ
（ウ）一次転写が行われてなく、二次転写が行われているとき
第１の電源をＯＮ、かつ第２の電源をＯＦＦ
（ア）の場合、第１の電源２２はＡＴＶＣで決められた定電圧、第２の電源２１は第２の電流検知回路２０４の検知電流が５μＡになるように制御される。
（イ）の場合、第１の電源２２は第１の電流検知回路２０４の検知電流が５μＡになるように制御される。
（ウ）の場合、第１の電源２２はＡＴＶＣで決められた定電圧で制御される。
【００６９】
ここで、実施例３では（ウ）のタイミングに合わせて、一次転写部における感光体の電位が０Ｖになるように帯電又は露光を制御する。これによりツェナーダイオードに流れる電流が増え、二次転写内ローラ１０の電位が下がることが抑制され、２次転写電界を適正に維持することができる。
【００７０】
実施例３により、定電圧素子を確実に予め定められた電圧にすることができ、一次転写不良を抑制できる。
【符号の説明】
【００７１】
１  感光体
７  中間転写ベルト
２１  第２の電源
２２  第１の電源
１４  二次転写外ローラ
１５０  ＣＰＵ回路部
【図１】
2016109875.tif 000003
【図２】
2016109875.tif 000004
【図３】
2016109875.tif 000005
【図４】
2016109875.tif 000006
【図５】
2016109875.tif 000007
【図６】
2016109875.tif 000008